(57)【要約】      （修正有）【課題】低コストで複雑化を招くことなく、コンピュータ装置の異常情報をユーザの操作場所付近で表示させる方法を提供する。【解決手段】ユーザが切替装置２０で使用するコンピュータ装置として１０−１を選択すると、入出力デバイス４０とコンピュータ装置１０−１とが接続される。コンピュータ装置１０−１が稼働している状態で正常から異常に変化した場合、コンピュータ装置１０−１の状態表示信号出力部１１−１から状態表示信号が出力される。状態表示信号出力部１１−１が切替装置２０の表示部２１−１に接続されているので、コンピュータ装置１０−１の状態が正常から異常に変化した場合、切替装置２０の表示部２１−１で確認できる。【選択図】図２
2015176323.tif 000002
【特許請求の範囲】
【請求項１】
コンピュータ装置の状態表示信号の出力部と接続され、前記出力部から出力された状態表示信号により状態表示を行う表示部を備えることを特徴とするコンピュータ切替装置。
【請求項２】
前記表示部が前記コンピュータ装置との接続用コネクタの空き端子と接続され、前記空き端子から前記出力部から出力された状態表示信号が入力されることを特徴とする請求項１に記載のコンピュータ切替装置。
【請求項３】
コンピュータ切替装置との接続用コネクタの空き端子と状態表示信号の出力部とが接続され、前記空き端子から前記状態表示信号が出力され、前記コンピュータ切替装置に状態表示を行わせることを特徴とするコンピュータ装置。
【請求項４】
請求項２に記載のコンピュータ切替装置と請求項３に記載のコンピュータ装置との前記接続用コネクタがケーブルで接続され、前記コンピュータ切替装置と前記コンピュータ装置との前記空き端子が対応していることを特徴とするコンピュータシステム。
【請求項５】
コンピュータ装置の状態表示信号の出力部とコンピュータ切替装置の表示部とを接続し、前記出力部から出力された状態表示信号により前記表示部に状態表示を行わせることを特徴とするコンピュータ切替装置の表示方法。
【請求項６】
前記表示部を前記コンピュータ装置との接続用コネクタの空き端子と接続し、前記空き端子から前記出力部から出力された状態表示信号を入力することを特徴とする請求項５に記載のコンピュータ切替装置の表示方法。
【請求項７】
コンピュータ切替装置との接続用コネクタの空き端子と状態表示信号の出力部とを接続し、前記空き端子から前記状態表示信号を出力し、前記コンピュータ切替装置に状態表示を行わせることを特徴とするコンピュータ装置の表示方法。
【請求項８】
請求項６に記載の表示方法を有するコンピュータ切替装置と請求項７に記載の表示方法を有するコンピュータ装置との前記接続用コネクタをケーブルで接続し、前記コンピュータ切替装置と前記コンピュータ装置との前記空き端子を対応させることを特徴とするコンピュータシステムの表示方法。
【発明の詳細な説明】
【技術分野】
【０００１】
本発明は、コンピュータ切替装置、コンピュータ装置、コンピュータシステムおよび表示方法に関する。
【背景技術】
【０００２】
複数台のコンピュータ装置でディスプレイ、キーボード／マウスなどの１組の入出力デバイスを共用するために使用される切替装置がある。切替装置は、コンピュータ装置を接続する複数のポート、入出力デバイスを接続するコモンポート、複数のポートの中からポートの選択を行う選択部、選択部で選択されたポートとコモンポートとを接続する切替部を有する。ユーザが使用するコンピュータ装置の接続されているポートを選択すると、切替部によりそのポートとコモンポートとが接続される。これにより、ユーザは使用するコンピュータ装置を入出力デバイスで操作することが可能となる。ユーザは、入出力デバイスで操作しているコンピュータ装置に異常等が発生した場合に対応するため、操作している場所でそのコンピュータ装置に設けられている異常表示部等を目視確認できるようにしておく必要がある。ところが、切替装置の介されたコンピュータ装置は入出力デバイスと切替装置から離れた場所に設置されていることがある。ユーザにとって、操作場所から離れた場所に設置されているコンピュータ装置に設けられている異常表示部等を目視確認するのは困難である。
【０００３】
このような問題の解決に関する技術が特許文献１に記載されている。
【０００４】
すなわち、特許文献１に記載の監視制御装置は、図１に示されているように、監視制御装置１として、複数の監視対象装置２−１〜２−ｎと、これらを監視する端末装置３との間に設けられる。各監視対象装置２と監視制御装置１との間、及び端末装置３と監視制御装置１との間は、いずれもＲＳ−２３２Ｃのような一般的な通信インタフェースで接続される。監視制御装置１は、監視対象装置２−１〜２−ｎを選択的に端末装置３に接続するための切替機構１０１と、監視対象装置２−１〜２−ｎ及び端末装置３に対する通信処理を行う処理部１０２とを備える。処理部１０２は、監視対象装置２−１〜２−ｎとの間の通信ケーブルの内、ＲＳ−２３２Ｃで使用されない未使用信号線を利用して、監視対象装置２−１〜２−ｎに対する監視制御を実行する。端末装置３と監視制御装置１との間の通信はＲＳ−２３２Ｃに従って行われる。監視対象装置２−１〜２−ｎは故障発生を契機にして、監視制御装置１に対し、緊急通知を送信する。監視制御装置１は、切替機構１０１によって、緊急通知を発した監視対象装置２と端末装置３との間の通信路を設定する。設定された通信路を通じて、監視対象装置２から故障情報が端末装置３に送信され、表示される。これにより、ユーザは端末装置３で監視対象装置２−１〜２−ｎの故障情報を確認することが可能となる。前述のコンピュータ装置、切替装置および入出力デバイスに特許文献１に記載の技術を適用すれば、ユーザは、コンピュータ装置が入出力デバイスから離れた場所にあっても、入出力デバイスでコンピュータ装置の異常情報等を確認することが可能となる。なお、処理部１０２は、監視対象装置２−１〜２−ｎに対する監視制御の通信を行う機能と、切替機構１０１を制御する機能と、切替機構１０１により選択された監視対象装置２と端末装置３との間に通信路を提供する機能等を備える。
【先行技術文献】
【特許文献】
【０００５】
【特許文献１】特開平０８−０４７０６４号公報
【発明の概要】
【発明が解決しようとする課題】
【０００６】
特許文献１に記載の技術により、ユーザは入出力デバイスでコンピュータ装置の異常情報等を確認することが可能となる。ところが、特許文献１に記載の技術において、監視制御装置は、監視対象装置の故障情報等を端末装置に表示させるために、監視対象装置に対する監視制御の通信を行う機能や切替機構を制御する機能などを備える処理部を有している。このため、前述のコンピュータ装置の切替装置にはこのような制御機能が装備されることになる。その制御機能の装備には少なからず、設計、部品、製造などに係る費用を要し、また、その制御機能の装備は装置の複雑化を招く。つまり、特許文献１に記載の技術において、コンピュータ装置の異常情報等をユーザの操作場所付近で表示させようとすると、切替装置の費用が少なからず増大し、切替装置の複雑化を招くという課題がある。
【０００７】
本発明の目的は、この課題を解決するコンピュータ切替装置、コンピュータ装置、コンピュータシステムおよび表示方法を提供することである。
【課題を解決するための手段】
【０００８】
本発明のコンピュータ切替装置は、コンピュータ装置の状態表示信号の出力部と接続され、前記出力部から出力された状態表示信号により状態表示を行う表示部を備えることを特徴とする。
【０００９】
本発明のコンピュータ切替装置の表示方法は、コンピュータ装置の状態表示信号の出力部とコンピュータ切替装置の表示部とを接続し、前記出力部から出力されたコンピュータ装置の状態表示信号により前記表示部に状態表示を行わせることを特徴とする。
【発明の効果】
【００１０】
本発明によれば、切替装置の費用増大や複雑化を抑え、コンピュータ装置の異常情報等をユーザの操作場所付近で表示させることが可能となる。
【図面の簡単な説明】
【００１１】
【図１】特許文献１に記載の監視制御装置の構成を示す図である。
【図２】本発明の第１の実施形態におけるコンピュータシステムの構成例を示す図である。
【図３】本発明の第２の実施形態におけるコンピュータ切替装置の構成例を示す図である。
【発明を実施するための形態】
【００１２】
本発明の第１の実施形態について、図面を参照して説明する。
【００１３】
図２は本実施形態におけるコンピュータシステムの構成例を示す。本コンピュータシステムは、コンピュータ装置（本体）１０−１〜１０−ｎ、切替装置２０、ケーブル３０−１〜３０−ｎ、入出力デバイス４０を有する。各コンピュータ装置１０と切替装置２０とが各ケーブル３０で接続されている。また、切替装置２０と入出力デバイス４０とが接続されている。
【００１４】
コンピュータ装置１０は、一般的なコンピュータ装置である。ただし、本実施形態では、各コンピュータ装置１０において、ＬＥＤ等に自装置の状態等の表示を行わせる信号を出力する回路（状態表示信号出力部１１−１〜１１−ｎ）の端子とケーブル３０が接続されるコネクタにおける未使用ピンとが信号線等で接続されている。ＬＥＤはLight Emitting Diodeの略称である。以降、コンピュータ装置１０における、自装置の状態等の表示を行わせる信号を状態表示信号と呼ぶ。なお、一般的に、状態表示信号出力部、その状態表示のためのＬＥＤ等は多くのコンピュータ装置に備えられている。状態表示信号出力部とそのＬＥＤ等とがケーブルで接続されている場合には、例えば、状態表示信号出力部の端子からケーブルを分岐させて、上記の未使用ピンまで配線し、接続を行う。
【００１５】
切替装置２０は、一般的なコンピュータ切替装置の備える切替機能を有し、入出力デバイス４０にコンピュータ装置１０の一つを選択的に接続することが可能である。ただし、本実施形態では、コンピュータ装置１０−１〜１０−ｎにそれぞれ対応するＬＥＤ等の表示部２１−１〜２１−ｎを備え、各表示部２１と各ケーブル３０が接続されるコネクタにおける未使用ピンとが信号線等で接続されている。なお、前記の各コンピュータ装置１０のコネクタの未使用ピンと切替装置２０の各コネクタの未使用ピンはケーブル３０で互いに接続されるように対応している。また、各表示部２１では対応するコンピュータ装置３０が判別可能となっているものとする。
【００１６】
ケーブル３０は、Ｄ−ｓｕｂ等のケーブルである。
【００１７】
入出力デバイス４０は、コンピュータ装置１０を操作するためのディスプレイ、キーボード／マウスなどの１組の入出力デバイスである。
【００１８】
状態表示信号出力部１１から表示部２１までの接続をまとめると次の通りとなる。
【００１９】
コンピュータ装置１０において状態表示信号出力部１１がケーブル３０のコネクタの未使用ピンに接続され、その未使用ピンがケーブル３０を介して切替装置２０のコネクタの未使用ピンに接続されている。切替装置２０においてその未使用ピンが表示部２１に接続されている。なお、状態表示信号出力部１１から表示部２１までの接続には信号線等の有線のみならず、無線、他を用いてもよい。
【００２０】
次に、本実施形態におけるコンピュータシステムの動作について、図２を参照して説明する。
【００２１】
まず、ユーザが切替装置２０で使用するコンピュータ装置として例えばコンピュータ装置１０−１を選択すると、切替装置２０により入出力デバイス４０とコンピュータ装置１０−１とが接続される。これにより、ユーザは入出力デバイス４０でコンピュータ装置１０−１を操作することが可能となる。
【００２２】
一般的なコンピュータ装置と同様に、コンピュータ装置１０−１が稼働している状態で、コンピュータ装置１０−１の状態が例えば正常から異常に変化した場合、コンピュータ装置１０−１の状態表示信号出力部１１−１から状態表示信号が出力される。
【００２３】
本実施形態では、状態表示信号出力部１１−１が切替装置２０の表示部２１に接続されているので、上記のコンピュータ装置１０−１の状態が例えば正常から異常に変化した場合、コンピュータ装置１０−１の状態表示が切替装置２０の表示部２１−１で行われる。これにより、コンピュータ装置１０−１を使用しているユーザは、コンピュータ装置１０−１が切替装置２０と入出力デバイス４０から離れた場所に設置されていても、コンピュータ装置１０−１の状態を確認することが可能となる。
【００２４】
以上のように、切替装置に表示部を設け、表示部をコンピュータ装置の状態表示信号出力部に信号線等で接続しているだけなので、切替装置の費用増大や複雑化を抑え、コンピュータ装置の状態表示を切替装置の表示部で行うことが可能となる。
【００２５】
このように、切替装置の費用増大や複雑化を抑え、コンピュータ装置の異常情報等をユーザの操作場所付近で表示させることが可能となる。
【００２６】
次に、本発明の第２の実施形態について、図面を参照して説明する。
【００２７】
図３は本実施形態におけるコンピュータ切替装置の構成例を示す。コンピュータ切替装置５０は、表示部５１を備える。
【００２８】
表示部５１は、コンピュータ装置の状態表示信号の出力部と接続され、前記出力部から出力された状態表示信号により状態表示を行う。
【００２９】
次に、本実施形態におけるコンピュータ切替装置５０の動作について、図３を参照して説明する。
【００３０】
コンピュータ装置の状態表示信号の出力部からコンピュータ切替装置５０の表示部５１に状態表示信号が入力される。入力された状態表示信号により表示部５１は状態表示を行う。
【００３１】
以上により、切替装置の費用増大や複雑化を抑え、コンピュータ装置の異常情報等をユーザの操作場所付近で表示させることが可能となる。
【産業上の利用可能性】
【００３２】
本発明は、コンピュータ切替装置、コンピュータ装置、コンピュータシステムおよび表示方法に利用可能である。
【符号の説明】
【００３３】
１    監視制御装置
２    監視対象装置
３    端末装置
１０    コンピュータ装置
１１    状態表示信号出力部
２０    切替装置
２１、５１    表示部
３０    ケーブル
４０    入出力デバイス
５０    コンピュータ切替装置
１０１    切替機構
１０２    処理部
【図１】
2015176323.tif 000003
【図２】
2015176323.tif 000004
【図３】
2015176323.tif 000005